(57)【要約】【課題】簡単な構成で軒先つなぎを施すことなく野地板の位置決めを容易に行なうことができる装着具及び小屋組建物を得る。【解決手段】最も軒先側に配置される野地板６８の軒先側端部に装着具５４の位置決め部が当接することで野地板６８が位置決めされるため、野地板６８を位置決めするための所謂「軒先つなぎ」の工程を廃止することができる。しかも、上記のように、野地板６８を位置決めするための位置決め部を有する装着具５４は、垂木４４、４６、５２を工場等で製造した際に、工場等で予め垂木４４、４６、５２に装着される。このため、スチールハウス１０の建築現場では装着具５４の装着工程もない。これにより、建築現場における作業工数を大幅に軽減できる。【選択図】図１
2007120249.tif 000002
【特許請求の範囲】
【請求項１】
支持材の軒先側端部に装着される装着具本体と、
前記装着具本体に設けられ、前記支持材の軒先側で前記支持材上の野地板に係合して前記野地板を位置決めする位置決め部と、
を備える装着具。
【請求項２】
前記位置決め部を前記装着具本体に一体的に形成したことを特徴とする請求項１に記載の装着具。
【請求項３】
前記支持材に沿って前記軒先側へ向けて前記装着具本体から延出され、先端に前記位置決め部が形成された延出部を備えることを特徴とする請求項１又は請求項２に記載の装着具。
【請求項４】
前記位置決め部は前記支持材よりも上方へ突出し、前記野地板の軒先側端部が前記支持材に沿って前記位置決め部に当接することを特徴とする請求項１乃至請求項３の何れか１項に記載の装着具。
【請求項５】
前記位置決め部の突出方向を前記支持材の長手方向に対して直交させたことを特徴とする請求項４に記載の装着具。
【請求項６】
支持材と、
前記支持材上に設けられた野地板と、
前記支持材の軒先側から前記野地板に係合して前記野地板を位置決めする位置決め部が、前記支持材の軒先側端部に装着される装着具本体に設けられた装着具と、
を含んで構成された屋根を備える小屋組建物。
【請求項７】
前記支持材の軒先側から前記装着具に当接する鼻隠しを備えることを特徴とする請求項６に記載の小屋組建物。
【請求項８】
板状のウェブと、
長手方向が前記ウェブの長手方向と同方向で幅方向が前記ウェブの幅方向に対して交差したフランジと、
を備える構造材を前記支持材とし、前記装着具本体が前記支持材の軒先側端部を覆うことを特徴とする請求項６又は請求項７に記載の小屋組建物。
【請求項９】
前記屋根をトラス構造としたことを特徴とする請求項６乃至請求項８の何れか１項に記載の小屋組建物。
【発明の詳細な説明】
【技術分野】
【０００１】
本発明は、垂木や隅垂木（隅木）等の野地板を支持する支持材に装着される装着具及びこのような装着具を用いた屋根を有する小屋組建物に関する。
【背景技術】
【０００２】
小屋組建物の屋根を構成する野地板は垂木上に設置されるが、野地板を設置するにあたっては、互いに平行な複数の垂木の先端部（棟木とは反対側の端部）を角材等で繋ぐ所謂「軒先つなぎ」を施し、この角材に野地板を突き当てて野地板を位置決めしていた。
【０００３】
このような「軒先つなぎ」を施さずに野地板を含めて構成される屋根パネルを位置決めするための構造が、下記特許文献１及び下記特許文献２に開示されている。特許文献１に開示された構造では、突出片がベースプレートに回動可能に取り付けられた取付プレートを備えており、このような取付プレートが屋根パネルや垂木状の枠材に取り付けられる。
【０００４】
このような取付プレートに対応して屋根架構材には受け金具が取り付けられる。この特許文献１に開示された構造では、枠材と野地板とが工場等で予め組み付けられて屋根パネルとされ、更に、この枠材や野地板に取付プレートが工場等で取り付けられる。屋根パネルを設置するにあたっては、屋根架構材上に屋根パネルを配置した状態で、屋根架構材に取り付けられた受け金具の突出片を、取付プレートの突出片に形成された切込みに入り込ませる。これにより、屋根パネルの位置決めが成される。
【０００５】
一方、特許文献２に開示された構造では、屋根架構上に配置された屋根パネルの裏面には固定金具が仮締めされている。固定金具がビス等により屋根架構に固定された仮の位置決め状態で、屋根パネルが適宜にスライドさせられて本位置決めが成されると屋根パネルに対する固定金具の本締めが成される。
【特許文献１】特許２８２６３０４号公報
【特許文献２】特開２００４−９２１２６公報
【発明の開示】
【発明が解決しようとする課題】
【０００６】
しかしながら、特許文献１に開示された構造では、取付プレートの突出片がベースプレートに対して回動可能な構成であるため構造が複雑であり、しかも、不用意な突出片の回動を防止するために保持片や当て片等のロック機構を設けなくてはならず、更に構造が複雑になる。
【０００７】
一方、特許文献２に開示された構造では、建築現場にて建物の室内側から固定金具をビス等で固定しなくてはならず、その作業が煩雑である。
【０００８】
本発明は、上記事実を考慮して、簡単な構成で軒先つなぎを施すことなく野地板の位置決めを容易に行なうことができる装着具及び小屋組建物を得ることが目的である。
【課題を解決するための手段】
【０００９】
請求項１に記載の本発明に係る装着具は、支持材の軒先側端部に装着される装着具本体と、前記装着具本体に設けられ、前記支持材の軒先側で前記支持材上の野地板に係合して前記野地板を位置決めする位置決め部と、を備えている。
【００１０】
請求項１に記載の本発明に係る装着具では、支持材の軒先側端部に装着具本体が装着される。この装着具本体には位置決め部が設けられており、支持材上に野地板を配置した際には、支持材の軒先側で野地板に位置決め部が係合し、これにより、支持材上での野地板の位置決めが成される。
【００１１】
このため、野地板を位置決めするにあたり、互いに平行配置された複数の支持材の軒先側端部を連結する所謂「軒先つなぎ」の工程を廃止することができる。
【００１２】
しかも、上記のような軒先つなぎは、建物の建築現場にて行われるのに対し、支持材を工場等で予め製造する場合には工場で本発明に係る装着具を装着しておくことが可能である。このため、建物の建築現場では装着具の装着工程もなくなり、上記の軒先つなぎの工程もなくなる。これにより、建築現場における作業工数を大幅に軽減できる。
【００１３】
さらに、本発明に係る装着具は位置決め部が支持材の軒先側で野地板に係合する。したがって、例えば、野地板を支持材上で滑らせて野地板を設置する場合でも、少なくとも、支持材の軒先側に野地板が到達するまでは位置決め部が野地板の障害になることはない。これにより、特に位置決め部を収納可能な構造にしたり、位置決め部をロックするためのロック機構等を設けたりしなくてもよい。このため、構成を簡単に簡素にでき、取り扱いも容易である。
【００１４】
請求項２に記載の本発明に係る装着具は、請求項１に記載の本発明において、前記位置決め部を前記装着具本体に一体的に形成したことを特徴としている。
【００１５】
請求項２に記載の本発明に係る装着具では、装着具本体に位置決め部が一体的に形成されているため、装着具本体を支持材に装着することで支持材に対する位置決め部の取り付けも完了する。しかも、装着具本体と位置決め部とが別体で設けられて、装着具本体に位置決め部を組み付ける構成では、装着具本体と位置決め部との間に組付誤差が生じるが、本発明に係る装着具では装着具本体と位置決め部とが一体であるため、このような誤差が生じない。このため、装着具本体を支持材に装着した際の支持材と位置決め部との間の誤差を小さくできる。
【００１６】
請求項３に記載の本発明に係る装着具は、請求項１又は請求項２に記載の本発明において、前記支持材に沿って前記軒先側へ向けて前記装着具本体から延出され、先端に前記位置決め部が形成された延出部を備えることを特徴としている。
【００１７】
請求項３に記載の本発明に係る装着具では、支持材に装着される装着具本体から支持材に沿って軒先側へ向けて延出部が延出され、この延出部の先端に位置決め部が形成される。このため、位置決め部は支持材の軒先側端部よりも更に軒先側に位置する。このように支持材よりも軒先側へ突出した状態で配置された野地板の下側には、支持体の端部を覆い隠すための鼻隠しが配置される。
【００１８】
さらに、支持体の端部を覆った鼻隠しはビスや釘等で支持体の端部に固定されることがあるが、鼻隠しで支持体が覆われるため、支持体自体を視認することが難しい。ここで、本発明に係る装着具は装着具本体が支持体に装着されるため、装着具本体から延出された延出部に形成された位置決め部を視認することで、支持体の位置を容易に把握できる。これにより、鼻隠しを支持体に固定するための作業効率が向上する。
【００１９】
請求項４に記載の本発明に係る装着具は、請求項１乃至請求項３の何れか１項に記載の本発明において、前記位置決め部は前記支持材よりも上方へ突出し、前記野地板の軒先側端部が前記支持材に沿って前記位置決め部に当接することを特徴としている。
【００２０】
請求項４に記載の本発明に係る装着具では、位置決め部が支持材よりも上方へ突出しており、支持材上の野地板の軒先側端部が位置決め部に当接し、これにより、野地板の位置決めが成される。すなわち、本発明に係る装着具では、支持材上の野地板の端部を位置決め部に突き当てるだけで野地板を位置決めできる。
【００２１】
請求項５に記載の本発明に係る装着具は、請求項４に記載の本発明において、前記位置決め部の突出方向を前記支持材の長手方向に対して直交させたことを特徴としている。
【００２２】
請求項５に記載の本発明に係る装着具では、支持材よりも上方に突出している位置決め部の突出方向は支持材の長手方向に対して直交している。このため、支持材上に野地板が設置された状態では野地板の厚さ方向と位置決め部の突出方向とが平行になる。このため、野地板の端部を位置決め部に突き当てた際に、野地板の端部と位置決め部との隙間を極めて小さくでき、又は、野地板の端部と位置決め部との隙間をなくすことができる。
【００２３】
請求項６に記載の本発明に係る小屋組建物は、支持材と、前記支持材上に設けられた野地板と、前記支持材の軒先側から前記野地板に係合して前記野地板を位置決めする位置決め部が、前記支持材の軒先側端部に装着される装着具本体に設けられた装着具と、を含んで構成された屋根を備えている。
【００２４】
請求項６に記載の本発明に係る小屋組建物では、支持材の軒先側端部には、装着具の装着具本体が装着される。この装着具本体には位置決め部が設けられており、位置決め部が支持材の軒先側から支持材上に配置された野地板に係合する。このように、位置決め部が野地板に係合することで支持材上での野地板の位置決めが成される。
【００２５】
これにより、野地板を位置決めするにあたり、互いに平行配置された複数の支持材の軒先側端部を連結する所謂「軒先つなぎ」の工程を廃止することができる。
【００２６】
しかも、上記のような軒先つなぎは、建物の建築現場にて行われるのに対し、支持材を工場等で予め製造する場合には工場で装着具を装着しておくことが可能である。このため、建物の建築現場では装着具の装着工程もなくなり、上記の軒先つなぎの工程もなくなる。これにより、建築現場における作業工数を大幅に軽減できる。
【００２７】
さらに、装着具の位置決め部は支持材の軒先側から野地板に係合する。したがって、例えば、野地板を支持材上で滑らせて野地板を設置する場合でも、少なくとも、支持材の他端側に野地板が到達するまでは位置決め部が野地板の障害になることはない。これにより、特に位置決め部を収納可能な構造にしたり、位置決め部をロックするためのロック機構等を設けたりしなくてもよい。このため、構成を簡単に簡素にでき、取り扱いも容易である。
【００２８】
請求項７に記載の本発明に係る小屋組建物は、請求項６に記載の本発明において、前記支持材の軒先側から前記装着具に当接する鼻隠しを備えることを特徴としている。
【００２９】
請求項７に記載の本発明に係る小屋組建物では、支持材の軒先側から装着具に鼻隠しが当接するため、装着具の少なくとも一部が鼻隠しにより隠される。これにより、装着具の外部への露出が少なくなるか、又は、装着具の外部への露出がなくなるため、見栄えがよくなる。
【００３０】
なお、本発明において鼻隠しは装着具に固定されてもよいし、固定されずに単に当接しているだけであってもよい。
【００３１】
請求項８に記載の本発明に係る小屋組建物は、請求項６又は請求項７に記載の本発明において、板状のウェブと、長手方向が前記ウェブの長手方向と同方向で幅方向が前記ウェブの幅方向に対して交差したフランジと、を備える構造材を前記支持材とし、前記装着具本体が前記支持材の軒先側端部を覆うことを特徴としている。
【００３２】
請求項８に記載の本発明に係る小屋組建物では、ウェブとフランジとを有する構造材が支持材とされ、このような構成の支持材の軒先側端部に装着具が装着されると支持材の軒先側端部が装着具本体に覆われる。このような構成にすることで、装着具本体を支持材に装着するにあたっては、ウエブやフランジに装着具本体を案内させることができるため、装着具本体を容易に支持材に装着できる。
【００３３】
請求項９に記載の本発明に係る小屋組建物は、請求項６乃至請求項８の何れか１項に記載の本発明において、前記屋根をトラス構造としたことを特徴としている。
【００３４】
請求項９に記載の本発明に係る小屋組建物では、屋根がトラス構造であるため支持材をトラス構造の上弦材とすることができる。
【発明の効果】
【００３５】
以上説明したように、請求項１に記載の本発明に係る装着具は、簡単な構成で軒先つなぎを施すことなく野地板の位置決めを容易に行なうことができる。
【００３６】
請求項２に記載の本発明に係る装着具は、支持材に装着する際の作業性もよく、しかも、位置決め部と支持材との間の組付誤差を小さくできる。
【００３７】
請求項３に記載の本発明に係る装着具は、支持材の下側に配置された鼻隠しをビスや釘等の締結部材で固定するにあたり、支持材が直接視認できなくても、延出部に形成された位置決め部を視認することで支持材の位置を容易に把握でき、鼻隠しを固定する際の作業性を向上できる。
【００３８】
請求項４に記載の本発明に係る装着具は、位置決め部に野地板の端部を突き当てるだけで簡単に野地板を位置決めできる。
【００３９】
請求項５に記載の本発明に係る装着具は、位置決め部と野地板の端部との間の隙間を極めて小さくでき、又は、位置決め部と野地板の端部との間の隙間をなくすことができる。
【００４０】
請求項６に記載の本発明に係る小屋組建物は、簡単な構成で軒先つなぎを施すことなく野地板の位置決めを容易に行なうことができる。
【００４１】
請求項７に記載の本発明に係る小屋組建物は、装着具の外部への露出を少なくでき、又は、装着具の外部への露出をなくすことができるため、外観品質を向上できる。
【００４２】
請求項８に記載の本発明に係る小屋組建物では、装着具を容易に支持材に装着できる。
【００４３】
請求項９に記載の本発明に係る小屋組建物では、屋根をトラス構造とすることで支持材をトラス構造の上弦材とすることができる。
【発明を実施するための最良の形態】
【００４４】
＜第１の実施の形態の構成＞
図１には本発明の第１の実施の形態に係る小屋組建物としてのスチールハウス１０の屋根１２（本発明の第１の実施の形態に係る装着具５４を適用したスチールハウス１０の屋根１２）の構造が斜視図により示されている。
【００４５】
この図に示されるように、屋根１２は一対の軒げた１４（「もや」と称する場合もある）を備えている。図４に示されるように、軒げた１４は水平方向に沿って長手方向とされた板状のウェブ１６を備えている。ウェブ１６の幅方向両端（上下両端）には一対のフランジ１８が設けられている。
【００４６】
これらのフランジ１８は、ウェブ１６の長手方向に沿って長手とされていると共に、各々の幅方向はウェブ１６の幅方向に対して直交している。これらのフランジ１８の幅方向一端は軒げた１４の幅方向端部に接続されており、両フランジ１８はウェブ１６の幅方向に互いに対向した状態で平行に設けられている。
【００４７】
このような構造の軒げた１４は、全体的に鉄やステンレスにより形成されており、断面形状がウェブ１６からのフランジ１８の延出方向へ向けて開口した「Ｃ」字形状、すなわち、Ｃ型のチャンネル材とされている。なお、本実施の形態では、図４に示されるように、ウェブ１６の幅方向を水平方向としてフランジ１８をウェブ１６の幅方向両端から下方へ延出した構成となっているが、軒げた１４の姿勢に関しては特に限定されるものではなく、例えば、ウェブ１６の幅方向を上下方向として、このウェブ１６の幅方向両端からフランジ１８を水平方向に延出する構成としてもよい。
【００４８】
図１に示されるように、これらの軒げた１４の長手方向両端部には、例えば、軒げた１４と同様な構造のＣ型チャンネル材により形成された一対の軒げた２０（図１では、一対の軒げた２０のうちの一方のみを図示している）が連結されている。これらの軒げた２０は水平方向で且つ軒げた１４の長手方向に対して直交する方向に長手とされ、軒げた１４と軒げた２０とで平面視矩形枠状となっている。
【００４９】
これらの軒げた１４、２０の上方には、例えば、軒げた１４と同様の構造のＣ型チャンネル材又はリップ型鋼（後述する隅垂木２６の構造を参照）により形成された棟木２２が配置されている。棟木２２は軒げた１４の長手方向に沿って長手とされている。棟木２２の長手方向端部にはガセットプレート２４が棟木２２に一体的に設けられており、この棟木２２には各々が構造材として支持材を構成する一対の隅垂木２６の長手方向一端が連結されている。
【００５０】
一方の隅垂木２６の長手方向他端側は、軒げた２０の長手方向一端側における軒げた１４と軒げた２０との連結部分に設けられたガセットプレート２８に連結されている。これに対して、一方の隅垂木２６の長手方向他端側は、軒げた２０の長手方向他端側における軒げた１４と軒げた２０との連結部分に設けられたガセットプレート２８に連結されている。
【００５１】
図５に示されるように、隅垂木２６はウェブ３０を備えている。ウェブ３０は隅垂木２６の長手方向に対して上下方向に傾斜した方向に沿って幅方向とされ、このウェブ３０の幅方向両端にはフランジ３２が設けられている。フランジ３２はウェブ３０の厚さ方向一方へ向けてウェブ３０の幅方向端部から延出された板状の横板部３４を備えている。横板部３４のウェブ３０とは反対側にはリップ部としての縦板部３６が連続して形成されている。縦板部３６はウェブ３０の幅方向中央側へ向けて横板部３４から延出され、各々がウェブ３０に対して平行とされている。
【００５２】
すなわち、隅垂木２６は全体的に鉄やステンレスにより形成されており、縦板部３６が形成されている点で上記の軒げた１４や軒げた２０とは構成が異なるものの、断面形状がウェブ３０からの横板部３４の延出方向へ向けて開口した略「Ｃ」字形状のリップ型鋼とされている。
【００５３】
以上の構成の隅垂木２６の他端部（すなわち、軒げた１４、２０側の端部）には装着具３８が装着されている。装着具３８は鉄又はステンレス等の金属により一端が略矩形に開口した有底筒形状に形成されており、隅垂木２６の他端部は装着具３８により被覆されている。
【００５４】
一方、図１に示されるように、一対の軒げた１４の間には、複数の下弦材４０が軒げた１４の長手方向に沿って所定間隔毎に設けられている。これらの下弦材４０は、例えば、軒げた１４と同様の構造のＣ型チャンネル材又は隅垂木２６と同様の構造のリップ型鋼により形成されており、その長手方向両端は軒げた１４に直接又は間接的に連結されて固定されている。これらの下弦材４０のうち、隅垂木２６の下方に位置する下弦材４０の上方には上弦材４２が下弦材４０に対して平行に配置されている。これらの上弦材４２は、例えば、下弦材４０と同様の構造のＣ型チャンネル材又は隅垂木２６と同様の構造のリップ型鋼により形成されている。
【００５５】
一方、複数の下弦材４０のうち、隅垂木２６の下方に位置せず、棟木２２の下方に位置する下弦材４０の上方には、トラス構造のトラス上弦材を構成すると共に構造材として支持材を構成する垂木４４が設けられている。図２に示されるように、垂木４４は基本的に隅垂木２６と同様の構造のリップ型鋼と同じ構造により形成されている。
【００５６】
垂木４４の長手方向一端は、棟木２２の長手方向両端や長手方向中間部に設けられたガセットプレート２４に連結されて一体的に固定されている。垂木４４は、長手方向が下弦材４０の長手方向に対して下方へ傾斜しており、他端側は軒げた１４に直接又は間接的に連結されて一体的に固定されている。さらに、上記の上弦材４２の長手方向両端部には、隅垂木２６と同様の構造のリップ型鋼により形成されたトラス構造のトラス上弦材を構成すると共に構造材として支持材を構成する垂木４６の一端が固定されている。
【００５７】
垂木４６は垂木４４に対して平行に設けられており、上弦材４２とは反対側が垂木４４と同様に軒げた１４に直接又は間接的に連結されて一体的に固定されている。上記の下弦材４０と上弦材４２や垂木４６、又は、垂木４４との間には、複数本のつか材４８が下弦材４０の長手方向に沿って所定間隔毎に配置されている。
【００５８】
つか材４８は、例えば、軒げた１４と同様の構造のＣ型チャンネル材又は隅垂木２６と同様の構造のリップ型鋼により形成されている。つか材４８の長手方向は上下方向に沿っており、その下端は下弦材４０に直接又は間接的に連結されて一体的に固定され、上端は上弦材４２や垂木４６、又は、垂木４４に直接又は間接的に連結されて一体的に固定されている。
【００５９】
これらのつか材４８の間には、例えば、軒げた１４と同様の構造のＣ型チャンネル材又は隅垂木２６と同様の構造のリップ型鋼により形成された斜材５０が配置されている。これらの斜材５０は、上下方向に対して下弦材４０の長手方向に傾斜した方向に長手とされ、その下端は下弦材４０に直接又は間接的に連結されて一体的に固定され、上端は上弦材４２や垂木４６、又は、垂木４４に直接又は間接的に連結されて一体的に固定されている。
【００６０】
すなわち、本実施の形態では、屋根１２が上弦材４２及び垂木４６や垂木４４がトラス上弦材となるトラス構造となっている。
【００６１】
さらに、図１に示されるように、軒げた２０上には各々が構造材として支持材を構成する複数本の垂木５２が軒げた２０の長手方向に沿って所定間隔毎に配置されている。垂木５２は、例えば、下弦材４０と同様の構造のＣ型チャンネル材により形成されており、その長手方向一端は棟木２２の一端に設けられたガセットプレート２４又は隅垂木２６の長手方向中間部に直接又は間接的に連結されて一体的に固定されている。これに対して、垂木５２の長手方向他端側は一端側に対して下方に傾斜しており、他端部よりも一端側が軒げた２０に直接又は間接的に連結されて軒げた２０に一体的に固定されている。
【００６２】
これらの垂木４４、４６、５２の下端部、すなわち、軒先側端部には装着具５４が装着されている。装着具５４は全体的に鉄やステンレス、又は、アルミニウム等の金属材料により形成されており、工場等にて垂木４４、４６、５２を製造した際に装着される。したがって、スチールハウス１０の建築現場に垂木４４、４６、５２が搬送された際には既に装着具５４が垂木４４、４６、５２に装着されている。
【００６３】
図２に示されるように、装着具５４は装着具本体５６を備えている。装着具本体５６は横板部３４の幅方向に互いに対向する一対の縦壁５８を備えている。縦壁５８は全体的に平行四辺形状とされており、上下方向に互いに対向する辺は垂木４４、４６、５２の傾斜に対応して傾斜している。これらの縦壁５８の上端及び下端は横壁６０により連結されており、更に、これらの縦壁５８及び横壁６０の軒先側の端部は底壁６２により閉止されている。このため、装着具本体５６は外周形状及び内周形状が矩形の筒状とされており、ウェブ３０、横板部３４、縦板部３６の各外面に内周部が接した状態で垂木４４、４６、５０の軒先側端部から垂木４４、４６、５０に嵌合できるようになっている。
【００６４】
また、一対の横壁６０のうち上側の横壁６０からは軒先側へ向けて延出部６４が連続して延出されている。さらに、延出部６４の装着具本体５６とは反対側は横壁６０の厚さ方向に沿って上側へ屈曲されており、これにより、位置決め部６６が形成されている。
【００６５】
一方、図１に示されるように、垂木４４、４６、５２上には野地板６８が載置される（図１では、一部の垂木４４、４６上と垂木５２上には位置決め部６６が載置されていない状態を図示している）。これらの野地板６８のうち、最も軒先側に配置される野地板６８は軒先側の端部が位置決め部６６に当接しており、他の野地板６８は軒先側の端部がそれより軒先側の野地板６８に当接し、この状態でビスや釘、ねじ等の締結部材（図示省略）によって垂木４４、４６、５２に固定されている。
【００６６】
さらに、図３に示されるように、上記の延出部６４の下側には鼻隠しとしての鼻隠し下地板７０が配置されている。鼻隠し下地板７０は平板状とされ、その厚さ方向は水平方向とされている。鼻隠し下地板７０の上端部近傍では厚さ方向一方の面が底壁６２の外面に当接しており、釘やビス等の固定部材７２によって鼻隠し下地板７０が底壁６２に固定されている。なお、本実施の形態では、鼻隠し下地板７０を底壁６２に固定した構成であったが、鼻隠し下地板７０を底壁６２に固定せずに当接させただけの構成としてもよい。
【００６７】
＜第１の実施の形態の作用、効果＞
次に、第１の実施の形態の作用並びに効果について説明する。
【００６８】
本スチールハウス１０の屋根１２では、野地板６８を設置するにあたり、クレーン等で野地板６８が垂木４４、４６、５２の上端側に載置される。この状態で垂木４４、４６、５２の傾斜で野地板６８を垂木４４、４６、５２の軒先側へ滑らせる。ここで、最も垂木４４、４６、５２の軒先側に設置される野地板６８は垂木４４、４６、５２を滑ることで位置決め部６６に当接する。これにより、最も軒先側の野地板６８がそれ以上滑り落ちることが防止されると共に野地板６８が位置決めされる。
【００６９】
さらに、位置決め部６６に当接した野地板６８よりも上側に設置される野地板６８もクレーン等で垂木４４、４６、５２の上端側に載置され、垂木４４、４６、５２の傾斜で滑らされる。これにより、既に位置決めされた野地板６８の軒先とは反対側の端部に、垂木４４、４６、５２上に配置された野地板６８の軒先側の端部が当接して位置決めされる。
【００７０】
このようにして、野地板６８が垂木４４、４６、５２の所定位置に配置され、更に、釘やビス等の固定部材（図示省略）により垂木４４、４６、５２に固定されることで野地板６８が設置される。
【００７１】
このように、本実施の形態では、最も軒先側に配置される野地板６８の軒先側端部に装着具５４の位置決め部６６が当接することで野地板６８が位置決めされるため、野地板６８を位置決めするための所謂「軒先つなぎ」の工程を廃止することができる。しかも、上記のように、野地板６８を位置決めするための位置決め部６６を有する装着具５４は、垂木４４、４６、５２を工場等で製造した際に、工場等で予め垂木４４、４６、５２に装着される。このため、スチールハウス１０の建築現場では装着具５４の装着工程もない。これにより、建築現場における作業工数を大幅に軽減できる。
【００７２】
さらに、最も軒先側に配置される野地板６８の軒先側端部に装着具５４の位置決め部６６が当接することで野地板６８が位置決めされるため、野地板６８が垂木４４、４６、５２上を滑り降りるにあたり野地板６８が位置決めされるまでは位置決め部６６が野地板６８に干渉することがなく、円滑に垂木４４、４６、５２上を滑らせることができ、作業性がよい。
【００７３】
しかも、このように、野地板６８が位置決めされるまでは位置決め部６６が野地板６８に干渉することがないため、位置決め部６６を収納可能な構造にしたり、位置決め部６６をロックするためのロック機構等を設けたりしなくてもよく、延出部６４から屈曲させるだけの極めて簡素な構造とすることができる。
【００７４】
さらには、野地板６８の位置調整等の作業を行わなくても位置決め部６６に野地板６８を突き当てるだけで容易に野地板６８の位置決めができる。しかも、延出部６４の厚さ方向に位置決め部６６が屈曲されていることで、厚さ方向一方の面の向きが垂木４４、４６、５２の長手方向に沿い、垂木４４、４６、５２上を滑り降りる野地板６８の軒先側の端部と位置決め部６６の厚さ方向一方の面とが略平行になる。このため、位置決め部６６に野地板６８が突き当てられた状態では、位置決め部６６と野地板６８との間の隙間は極めて小さいか、又は、位置決め部６６と野地板６８との間に隙間が生じない。
【００７５】
一方、縦壁５８が平行四辺形状で、垂木４４、４６、５２の長手方向に対向する縦壁５８の辺は上下方向に沿う。このため、底壁６２の厚さ方向は水平方向に沿い、鼻隠し下地板７０の厚さ方向一方の面を確実に底壁６２に当接させることができる。このように底壁６２に鼻隠し下地板７０が当接することで底壁６２を隠すことができることで、装着具５４の外部への露出を少なくできる。これにより、屋根１２、ひいてはスチールハウス１０の見栄え（外観品質）を向上できる。
【００７６】
さらに、上記のように、垂木４４、４６、５２の軒先側の端部は、鼻隠し下地板７０に覆われて隠されるが、鼻隠し下地板７０はビスや釘等の固定部材７２によって垂木４４、４６、５２の軒先側の端部に固定される。
【００７７】
ここで、鼻隠し下地板７０を配置した状態では鼻隠し下地板７０に阻まれて垂木４４、４６、５２の軒先側の端部を直接視認することができない。しかしながら、野地板６８に当接している位置決め部６６は延出部６４の先端から上側へ屈曲されているため外部に露出しており、外部からの視認が可能である。
【００７８】
位置決め部６６が形成された延出部６４は、垂木４４、４６、５０の軒先側端部に嵌合した装着具本体５６の横壁６０から軒先側へ延出された構造であるため、位置決め部６６と垂木４４、４６、５０とは対応しており、図３に示されるように、位置決め部６６の下側から固定部材７２を鼻隠し下地板７０に打ち付け、鼻隠し下地板７０及び装着具本体５６の底壁６２を固定部材７２が貫通すると、固定部材７２が垂木４４、４６、５０の軒先側の端部に打ち付けられる。
【００７９】
このように、垂木４４、４６、５０の位置を直接視認しなくても、位置決め部６６を視認することで、鼻隠し下地板７０を固定するための固定部材７２を垂木４４、４６、５０に打ち付けることができる。このため、鼻隠し下地板７０を固定する際の作業効率を向上できる。
【００８０】
また、垂木４４、４６、５２に装着具５４を装着するにあたっては、垂木４４、４６、５２のウェブ３０やフランジ３２に案内させるだけで装着具５４を垂木４４、４６、５２に嵌め込むことができ、ビス等で装着具本体５６を垂木４４、４６、５２に固定するだけで垂木４４、４６、５２に装着具５４を装着できる。このため、垂木４４、４６、５２に装着具５４を装着するための作業性もよく、取り扱いが簡単である。
【００８１】
さらに、野地板６８を位置決めする位置決め部６６は延出部６４を介して装着具本体５６に一体とされている。このため、装着具本体５６を垂木４４、４６、５２に装着した際の垂木４４、４６、５２と位置決め部６６との間の誤差を小さくでき、ひいては、位置決め部６６に位置決めされる野地板６８の位置精度も高くなる。
【００８２】
＜第２の実施の形態の構成＞
次に、本発明のその他の実施の形態について説明する。なお、以下の各実施の形態を説明するにあたり、前記第１の実施の形態を含めて説明している実施の形態よりも前出の実施の形態と基本的に同一の部位に関しては、同一の符号を付与してその詳細な説明を省略する。
【００８３】
図６及び図７には本発明の第２の実施の形態に係る小屋組建物としてのスチールハウス８０の屋根１２（本発明の第２の実施の形態に係る装着具８２を適用したスチールハウス８０の屋根１２）の構造が前記第１の実施の形態を説明する図２及び図３に対応した図により示されている。
【００８４】
これらの図に示されるように、本スチールハウス８０は、装着具５４を備えておらず、代わりに装着具８２を備えている。図６及び図７に示されるように、装着具８２は基本的に装着具５４と同じ構造であるが、鼻隠し支持部８４を備える点で装着具５４とは構成が異なる。
【００８５】
図６及び図７に示されるように、鼻隠し支持部８４は、縦板部８６を備えている。縦板部８６は上下方向に沿って長手方向とされ、底壁６２の厚さ方向（すなわち、水平方向）に厚さ方向とされた板状に形成されており、底壁６２の下端から連続して形成されている。縦板部８６の下端からは軒先側へ向けて支持部８８が連続して形成されている。支持部８８は厚さ方向が上下方向に沿った板状に形成されている。この支持部８８の縦板部８６とは反対側の端部には上下方向に沿った寸法が縦板部８６よりも充分に小さな縦板部９０が縦板部８６に対して平行に立設されている。
【００８６】
縦板部８６と縦板部９０との間隔は、鼻隠し下地板７０の厚さ寸法よりも極僅かに大きく、縦板部８６及び縦板部９０の互いに対向する側の面に鼻隠し下地板７０が接触した状態で縦板部８６と縦板部９０との間に鼻隠し下地板７０を配置できる。また、図７に示されるように、支持部８８に鼻隠し下地板７０を当接させて縦板部８６と縦板部９０との間に鼻隠し下地板７０を配置した状態では鼻隠し下地板７０の上端部が延出部６４に接するように上下方向に沿った縦板部８６の長さ（すなわち、底壁６２からの縦板部８６の延出寸法）が設定されている。
【００８７】
＜第２の実施の形態の作用、効果＞
本実施の形態では、このような鼻隠し支持部８４を装着具８２に設けることで、鼻隠し下地板７０を設置するにあたり、鼻隠し下地板７０の設置位置で鼻隠し支持部８４に鼻隠し下地板７０を支持させることができる。これにより、垂木４４、４６、５２の軒先側端部との対向方向（底壁６２との対向方向）に沿った鼻隠し下地板７０の位置決めを容易に行なうことができる。
【００８８】
しかも、このように鼻隠し支持部８４に鼻隠し下地板７０を支持させることで、固定部材で鼻隠し下地板７０を固定するにあたり、別に鼻隠し下地板７０を支持しなくてもよく、鼻隠し下地板７０の固定作業が容易になる。
【００８９】
さらに、支持部８８上に載置した鼻隠し下地板７０が脱落しないように縦板部９０の寸法を設定することで、固定部材７２で鼻隠し下地板７０を固定しない構造であっても鼻隠し下地板７０を取り付けることが可能となる。
【００９０】
なお、本実施の形態は、縦板部８６と縦板部９０との間に鼻隠し下地板７０を配置する構成であったが、垂木４４、４６、５２の軒先側端部との対向方向（底壁６２との対向方向）に沿った鼻隠し下地板７０の位置決めと、下方からの鼻隠し下地板７０の支持と言う観点からすれば、縦板部９０を設けない構成としても構わない。
【００９１】
＜第３の実施の形態＞
次に、本発明の第３の実施の形態について説明する。
【００９２】
図８には本実施の形態に係る小屋組建物としてのスチールハウス１１０の屋根１２（本発明の第２の実施の形態に係る装着具１１２を適用したスチールハウス１１０の屋根１２）の構造が前記第１の実施の形態を説明する図５に対応した図により示されている。
【００９３】
この図に示されるように、本スチールハウス１１０では隅垂木２６の軒先側端部に装着具３８が装着されておらず、代わりに装着具１１２が設けられている。装着具１１２は装着具本体１１４を備えている。装着具本体１１４は横板部３４の幅方向に互いに対向する一対の縦壁１１６を備えている。縦壁１１６は全体的に平行四辺形状とされており、上下方向に互いに対向する辺は隅垂木２６の傾斜に対応して傾斜している。これらの縦壁１１６の上端及び下端は横壁１１８により連結されており、更に、これらの縦壁１１６及び横壁１１８の軒先側の端部は底壁１２０と底壁１２２とにより閉止されている。
【００９４】
底壁１２０は幅方向が図８では図示を省略する垂木４６及び垂木５２の何れか一方の横板部３４の幅方向に沿った平板状で、底壁１２２は垂木４６及び垂木５２の何れか他方の横板部３４の幅方向に沿った平板状とされている。このため、平面視では底壁１２０と底壁１２２とで略「Ｖ」字状となっており、横壁１１８の底壁１２０、１２２側はこれに対応して平面視三角形状となっている（なお、前記第１の実施の形態では詳細な説明を省略したが、装着具本体１１４の構造は基本的に装着具３８と同じ構造である）。
【００９５】
一対の横壁１１８のうち上側の横壁６０からは一対の延出部１２４、１２６が延出されている。延出部１２４は、垂木４６及び垂木５２のうち、横板部３４の幅方向が底壁１２０の幅方向に対応した方の長手方向に沿って軒先側へ向けて延出されている。これに対して、延出部１２６は、垂木４６及び垂木５２のうち、横板部３４の幅方向が底壁１２２の幅方向に対応した方の長手方向に沿って軒先側へ向けて延出されている。これらの延出部１２４、１２６の各々の軒先側先端部からは、位置決め部６６が延出部１２４、１２６の延出方向に対して略直交した状態で上方へ立設されている。
【００９６】
一方、底壁１２０の下端部からは鼻隠し支持部８４を構成する縦板部８６が延出されており、垂木４６及び垂木５２のうち、横板部３４の幅方向が底壁１２０の幅方向に対応した方に軒先側端部に対向して設けられる鼻隠し下地板７０を支持する。これに対して、底壁１２２の下端部からも鼻隠し支持部８４を構成する縦板部８６が延出されており、垂木４６及び垂木５２のうち、横板部３４の幅方向が底壁１２２の幅方向に対応した方に軒先側端部に対向して設けられる鼻隠し下地板７０を支持する。
【００９７】
隅垂木２６を境とする一方には、垂木４６、４８及び垂木５２の何れか一方が設けられて、この何れか一方に野地板６８が載置され、隅垂木２６を境とする他方には、垂木４６、４８及び垂木５２の何れか他方が設けられて、この何れか他方に野地板６８が載置されるが、以上のような構成の装着具１１２を用いることで、隅垂木２６の側にて垂木４６、４８の側及び垂木５２の側の双方の野地板６８や鼻隠し下地板７０の位置決めができる等、隅垂木２６の側においても前記第１の実施の形態及び前記第２の実施の形態にて説明した同等の作用を奏し、同等の効果を得ることができる。
【００９８】
なお、本発明において隅垂木２６や垂木４４、４６、５２をリップ型鋼で構成したが、特許請求の範囲で言う「構造材」がリップ型鋼に限定されるものではなく、一般的にウェブとフランジとを有する構成であれば、その断面形状や材質に関して特に限定されるものではない。したがって、隅垂木２６や垂木４４、４６、５２を構成する構造材が軒げた１４のようなＣ型チャンネル材であってもよいし、構造材の断面形状を互いに平行な一対のフランジの幅方向中間部をウェブが繋ぐ断面「Ｉ」又は「Ｈ」字形状であってもよい。さらには、ウェブやフランジを有しない角棒状であっても構わない。さらに、支持材又は構造材の材質的な観点では、隅垂木２６や垂木４４、４６、５２が鉄やステンレス、アルミニウム等の金属に限定されるものではなく、合成樹脂材や木材を用いてもよい。
【図面の簡単な説明】
【００９９】
【図１】本発明の第１の実施の形態に係る小屋組建物の屋根（本発明の第１の実施の形態に係る装着具を適用した小屋組建物の屋根）の構造を示す斜視図である。
【図２】本発明の第１の実施の形態に係る小屋組建物の屋根の要部（本発明の第１の実施の形態に係る装着具）を示す拡大斜視図である。
【図３】本発明の第１の実施の形態に係る小屋組建物の軒先近傍を示す正面図である。
【図４】軒げたの拡大斜視図である。
【図５】隅垂木の先端側を拡大した斜視図である。
【図６】本発明の第２の実施の形態に係る小屋組建物の屋根の要部（本発明の第２の実施の形態に係る装着具）を示す図２に対応した拡大斜視図である。
【図７】本発明の第２の実施の形態に係る小屋組建物の軒先近傍を示す図２に対応した正面図である。
【図８】本発明の第３の実施の形態に係る小屋組建物の屋根の要部（本発明の第２の実施の形態に係る装着具）を示す図５に対応した拡大斜視図である。
【符号の説明】
【０１００】
１０    スチールハウス（小屋組建物）
１２    屋根
１６    ウェブ
１８    フランジ
２６    隅垂木（構造材、支持材）
３０    ウェブ
３２    フランジ
４４    垂木（構造材、支持材）
４６    垂木（構造材、支持材）
５４    装着具
５６    装着具本体
６４    延出部
６６    位置決め部
６８    野地板
７０    鼻隠し下地板（鼻隠し）
８０    スチールハウス
８２    装着具
１１０    スチールハウス
１１２    装着具
１１４    装着具本体
１２４    延出部
１２６    延出部
【図１】
2007120249.tif 000003
【図２】
2007120249.tif 000004
【図３】
2007120249.tif 000005
【図４】
2007120249.tif 000006
【図５】
2007120249.tif 000007
【図６】
2007120249.tif 000008
【図７】
2007120249.tif 000009
【図８】
2007120249.tif 000010